(57)【要約】【課題】野菜ジュースミキサーフィード管の安全保護装置を提供する。【解決手段】野菜ジュースミキサーのフィード管の開口部の内側に、上から下へ連続に対向した曲げ状のシューター及び押えレバーが設けられており、前記押えレバーの上側にはシューターに対向した突起柱が設けられており、野菜ジュースミキサーを使用しないとき、前記突起柱を前記シューターに嵌め合わせ、押えレバーがフィード管に位置するように形成し、押えレバーの紛失又は幼児が押えレバーを引き出し、手が不注意にフィード管に入って怪我することを防止する。また、前記シューターの開口部にラッパ状溝が設けられており、前記ラッパ状溝が第一垂直溝につながり、前記第一垂直溝が伸ばされるようになり、上向きの斜め溝へとつながり、更に、前記斜め溝が下向きの第二垂直溝へとつながり、Ｎ状のようなシューターが形成するようになり、前記押えレバーの突起柱を第二垂直溝に嵌め合わせることができる。【選択図】        図２
0003130319.tif 000002
【実用新案登録請求の範囲】
【請求項１】
野菜ジュースミキサーのフィード管の開口部の内側に、上から下へ連続に対向した曲げ状のシューター及び押えレバーが設けられており、前記押えレバーの上側にはシューターに対向した突起柱が設けられており、野菜ジュースミキサーを使用しないとき、前記突起柱を前記シューターに嵌め合わせ、押えレバーの紛失又は幼児が押えレバーを引き出し、手が不注意に入って怪我することを防止し、安全保護を果たすことができることを特徴とする野菜ジュースミキサーフィード管の安全保護装置。
【請求項２】
前記シューターの開口部にラッパ状溝が設けられており、  前記ラッパ状溝が第一垂直溝につながり、前記第一垂直溝が伸ばされるようになり、上向きの斜め溝へとつながり、更に、前記斜め溝が下向きの第二垂直溝へとつながり、Ｎ状のシューターが形成することを特徴とする請求項１に記載の野菜ジュースミキサーフィード管の安全保護装置。
【考案の詳細な説明】
【技術分野】
【０００１】
本考案は、野菜ジュースミキサーフィード管の安全保護装置に関わり、特に使用しないとき、押えレバーが紛失され、又は引き出され、幼児の手が不注意にフィード管に入って怪我することを防止することができる野菜ジュースミキサーフィード管の安全保護装置に関するものである。
【背景技術】
【０００２】
従来の野菜ジュースミキサーの構造においては、通常図１に示すように、上座１１、下座１２及びフィード管１３のカバー１４が設けられており、上研磨盤をフィード管１３に固定し、下研磨盤を前記伝導装置に固定するために、前記下座１２に伝導装置が設けられており、その中、カバー１４を蓋したあと、カバー１４のフィード口１３から果物や野菜等を投入し、底部に歯部の押えレバー１５で押入れ、伝導装置によって下研磨盤を高速に回転させ、ジュースを絞り出すものを提供することを目的とするが、しかし、前記押えレバー１５は使用しないとき、フィード管１３に自由に入れたり出したりすることができるため、分からない幼児が押えレバー１５を取り出して手を入れて、怪我する恐れがあるので、有効に改善しなければならない。考案者は当該業界で長年の経験を持ち、継続的に研究し改善することによって、野菜ジュースミキサーを使用しないとき、幼児が不注意に怪我することを防止し、より安全な野菜ジュースミキサーを提供することができる。
【考案の開示】
【考案が解決しようとする課題】
【０００３】
本考案の目的は、野菜ジュースミキサーを使用しないとき、押えレバーが紛失され、又は引き出され、幼児の手が不注意に入って怪我することを防止するための野菜ジュースミキサーフィード管の安全保護装置を提供することにある。
【課題を解決するための手段】
【０００４】
野菜ジュースミキサーのフィード管の開口部の内側に、上から下へ連続に対向した曲げ状のシューター及び押えレバーが設けられており、前記押えレバーの上側にはシューターに対向した突起柱が設けられており、野菜ジュースミキサーを使用しないとき、前記突起柱を前記シューターに嵌め合わせ、押えレバーがフィード管に位置するように形成し、押えレバーが紛失され、又は引き出され、幼児の手が不注意に入って怪我することを防止することを特徴とする前記野菜ジュースミキサーフィード管の安全保護装置を要旨としている。
【０００５】
前記シューターの開口部にラッパ状溝が設けられており、  前記ラッパ状溝が第一垂直溝につながり、前記第一垂直溝が伸ばされるようになり、上向きの斜め溝へとつながり、更に、前記斜め溝が下向きの第二垂直溝へとつながり、Ｎ状のシューターが形成しており、野菜ジュースミキサーを使用しないとき、押えレバーの突起柱がフィード管の開口部の内側にあるラッパ状溝に沿い、第一垂直溝に滑っていき、更に上向きの斜め溝を通って、シューターの第二垂直溝へと滑っていくことによって、押えレバーがフィード管に位置するように形成することを特徴とする前記野菜ジュースミキサーフィード管の安全保護装置を要旨としている。
【０００６】
使用状態の中に、前記押えレバーでリンゴを押入れて、前記突起柱をフィード管の開口部の内側にあるラッパ状溝に沿って上下に滑らすが、正常に使用することができることを特徴とする前記野菜ジュースミキサーフィード管の安全保護装置を要旨としている。
【考案を実施するための最良の形態】
【０００７】
本考案は、図２、図３及び図４に示すように、従来の野菜ジュースミキサーは上座１１、下座１２、及びフィード管１３のカバー１４が設けられており、それと同様に、上研磨盤をフィード管１３に固定し、下研磨盤を前記伝導装置に固定するために、前記下座１２に伝導装置が設けられており、その中、  前記フィード管１３の開口部の内側に、対向したシューター１６が設けられており、前記シューター１６の開口部にラッパ状溝１６１が設けられており、前記ラッパ状溝１６１が第一垂直溝１６２につながり、前記第一垂直溝１６２が伸ばされるようになり、上向きの斜め溝１６３へとつながり、更に、前記斜め溝１６３が下向きの第二垂直溝１６４へとつながり、Ｎ状のようなシューター１６が形成する。
【０００８】
押えレバー１５において、前記押えレバー１５の底部に歯部が設けられており、  上側の適当な位置にフィード管１３のシューター１６に対向した突起柱１５１が設けられる。
【０００９】
上述の部品の組み合わせにより、野菜ジュースミキサーを使用しないとき、押えレバー１５の突起柱１５１がフィード管１３の開口部の内側にあるラッパ状溝１６１に沿い、第一垂直溝１６２に滑っていき、更に上向きの斜め溝１６３を通って、第二垂直溝１６４に嵌め合わせることによって、押えレバー１５がフィード管１３に位置するように形成し、前記押えレバー１５が引き出されないので、幼児の手が不注意にフィード管１３に入って怪我することを防止し、安全保護の目的を果たすことができる。
【００１０】
本考案は、図４に示すように、使用状態の中に、リンゴを前記フィード管１３に投入したあと、前記押えレバー１５でリンゴを上下に押し入れて、そして押し入れているときに、突起柱１５１をフィード管１３の開口部の内側にあるラッパ状溝１６１にそって伸ばし、しかも、前記第一垂直溝１６２を上下に滑らすが、シューター１６及び突起柱１５１からの影響がなく、正常に使用することができる。
【００１１】
本考案は、図５に示すように使用しないとき、押えレバー１５をフィード管１３に入らせた後、その突起柱１５１がフィード管１３の開口部の内側にあるラッパ状溝１６１に沿い、第一垂直溝１６２に滑っていき、更に上向きの斜め溝１６３を通って、第二垂直溝１６４に嵌め合わせることによって、前記押えレバー１５が引き出されず前記第二垂直溝１６４に嵌り、押えレバー１５がフィード管１３に位置するように形成し、幼児の手が不注意にフィード管１３に入って怪我することを防止し、安全保護の目的を果たすことができる。
【００１２】
以上、本考案は野菜ジュースミキサーフィード管にシューターが設けられ、及び突起柱の押えレバーが設けられることによって、野菜ジュースミキサーを使用しないとき、押えレバーが引き出され、幼児の手が中に入って怪我することを防止し、安全保護を果たすための実用設計で、オリジナルな考案であるので、規定により実用新案登録請求の出願をするわけである。
【図面の簡単な説明】
【００１３】
【図１】従来の野菜ジュースミキサーの立体図である。
【図２】本考案の立体図である。
【図３】本考案のシューターの拡大立体図である。
【図４】本考案の使用状態の実施例の図である。
【図５】本考案の押えレバーとシューターが嵌め合わせた実施例の図である。
【符号の説明】
【００１４】
１１    上座
１２    下座
１３    フィード管
１４    カバー
１５    押えレバー
１５１  突起柱
１６    シューター
１６１  ラッパ状溝
１６２  第一垂直溝
１６３  斜め溝
１６４  第二垂直溝
【図１】
0003130319.tif 000003
【図２】
0003130319.tif 000004
【図３】
0003130319.tif 000005
【図４】
0003130319.tif 000006
【図５】
0003130319.tif 000007